(57)【特許請求の範囲】
【請求項１】
長い棒状に形成されたカーテン用ウエイトの端部に被せて取り付けるキャップ本体の外端面に、このキャップ本体の外端面との間に形成した巻き付け溝にカーテン昇降用の操作コードを巻き付けることによって連結するためのコード巻き付け部を設けたカーテン用ウエイトの端部キャップ。
【請求項２】
上記キャップ本体とコード巻き付け部が合成樹脂を用いて一体成形され、前記コード巻き付け部が、キャップ本体の端壁における外端面から外方に突出する巻き付け軸と、この巻き付け軸の端部から連なってキャップ本体の外端面と対面するよう設けた鍔部材とからなり、前記キャップ本体の外端面と鍔部材の対向面間でコードの巻き付け溝を形成した請求項１に記載のカーテン用ウエイトの端部キャップ。
【請求項３】
上記キャップ本体とコード巻き付け部に、巻き付け軸の軸心に沿って内外に貫通するコード挿通孔を設け、前記キャップ本体の内部で端壁の内面側に、キャップ本体内に挿入したカーテン用ウエイトの端部が当接することにより、コード挿通孔の内端側の位置に操作コード端部の結び目が収まる収納空間を確保する当り部を設けた請求項１又は２に記載のカーテン用ウエイトの端部キャップ。
【発明の詳細な説明】
【技術分野】
【０００１】
この発明は、たくし上げカーテンの裾に組み込み、カーテンの垂れ下がり形状を整えると共に、裾の捲くれ上がり発生を防ぐ長い棒状のカーテン用ウエイトにおいて、このカーテン用ウエイトの端部に取付け、カーテン昇降用の操作コードを連結する端部キャップに関する。
【背景技術】
【０００２】
カーテンやたくし上げカーテン（以下単にカーテンという）において、吊り下げ時に垂れ下がり形状を整えると共に、裾の捲くれ上がり発生を防ぐ目的で、カーテンの裾に長い棒状のウエイトを縫い込むことが行われている。
【０００３】
上記ウエイトは、その目的から適度な重量が要求され、このため、従来のウエイトは、亜鉛やステンレスのような金属材料を用いて扁平な棒状に形成されているが、その端部にバリがあったり鋭利な端縁になっていると、カーテン昇降時のウエイトとカーテンの相対的な動きにより、ウエイトの端部でカーテンに損傷が発生する。
【０００４】
このため、図５のように、棒状のウエイト１には、その両端部に合成樹脂成形品の端部キャップ２を被せて取付け、ウエイト１の端部でカーテン３に損傷が発生するのを防ぐことが行われている。
【０００５】
また、たくし上げ式のカーテン１は、上部の昇降機構から引き出した複数の昇降コードの下端をカーテン３の下部にコードキャッチを介して連結し、各昇降コードの束ねた端部にイコライザーを介して操作コード４を連結し、この操作コード４を操作することによってカーテン３を引き上げたり降ろすようになっている。
【０００６】
上記操作コード４は、イコライザーから垂れ下がることになるが、カーテン３の側部で操作コード４が垂れ下がっていては見た目に体裁が悪いだけでなく、操作コード４が人や物に巻き付くという危険があるため、図５で示したように、操作コード４の下端をウエイト１の端部に取付けた端部キャップ２に連結することが行われている。
【０００７】
従来の端部キャップ２は、図５で示したように、ウエイト１の端部に被せることができるよう、一方の端部が開放したカバー状に形成され、操作コード４との連結を行うため、端壁２ａの中央にコード挿通孔２ｂを内外に貫通するよう設けた構造になっている。
【０００８】
上記端部キャップ２に操作コード４を接続するには、端部キャップ２の端壁２ａの外側からコード挿通孔２ｂに操作コード４の端部を挿通し、端部キャップ２の開放端側に引き出した操作コード４の端部に結び目４ａを作り、この後操作コード４を端部キャップ２内に引き戻すようにすればよく、コード挿通孔２ｂに対して結び目４ａが抜け止めとなり、この状態で端部キャップ２をウエイト１の端部に被せれば、ウエイト１の端部に端部キャップ２を介して操作コード４が連結されることになる。
【発明の開示】
【発明が解決しようとする課題】
【０００９】
ところで、従来の端部キャップ２は、操作コード４の接続が、コード挿通孔２ｂに操作コード４の端部を挿通して結び目４ａを作り、この後操作コード４を端部キャップ２内に引き戻すことにより抜け止めとする必要があるため、操作コード４のコード挿通孔２ｂに対する挿通作業や結び目４ａの作成に手間と時間がかかり、カーテン製作の能率を低下させる原因になっている。
【００１０】
そこで、この発明の課題は、端部キャップに対する操作コードの接続が、操作コードの端部を単に巻き付けるだけの作業で行えるようにし、接続作業の簡略化によってカーテン製作の能率向上を図ることができるカーテン用ウエイトの端部キャップを提供することにある。
【課題を解決するための手段】
【００１１】
上記のような課題を解決するため、この発明は、長い棒状に形成されたカーテン用ウエイトの端部に被せて取り付けるキャップ本体の外端面に、このキャップ本体の外端面との間に形成した巻き付け溝にカーテン昇降用の操作コードを巻き付けることによって連結するための操作コードの巻き付け部を設けた構成を採用したものである。
【００１２】
上記キャップ本体と操作コードの巻き付け部が合成樹脂を用いて一体成形され、前記巻き付け部が、キャップ本体の端壁における外端面から外方に突出する巻き付け軸と、この巻き付け軸の端部から連なってキャップ本体の外端面と対面するよう設けた鍔部材とからなり、前記キャップ本体の外端面と鍔部材の対向面間でコードの巻き付け溝を形成した構造とすることができる。
【００１３】
また、上記キャップ本体と操作コードの巻き付け部に、巻き付け軸の軸心に沿って内外に貫通するコード挿通孔を設け、前記キャップ本体の内部で端壁の内面側に、キャップ本体内に挿入したカーテン用ウエイトの端部が当接することにより、コード挿通孔の内端側の位置に操作コード端部の結び目が収まる収納空間を確保する当り部を設けた構造とすることができる。
【００１４】
ここで、キャップ本体は、断面が扁平な長円形となるウエイトの端部に対して緊密に被せて取付けることができるよう、筒状の周壁が上下方向に長い長円形となり、この周壁の一方の端部が開放し、他端が端壁で閉鎖されたカバー状に形成され、巻き付け部の鍔部材が前記筒状の周壁と略同様の大きさと形状になっている。
【００１５】
また、上記キャップ本体の外端面と鍔部材の対向面間に形成された操作コードの巻き付け溝は、例えば１ｍｍ程度の幅とし、この巻き付け溝に操作コードの端部を数回巻き付けると、キャップ本体と鍔部材で巻き付け部分を合成樹脂の弾性を利用して弾力的に挟み、巻き付け部分が離脱したり緩むようなことがなく、単に操作コードの端部を数回巻き付けるという簡単な作業で、端部キャップに対する操作コードの接続が行える。
【発明の効果】
【００１６】
この発明によると、カーテン用ウエイトの端部に被せて取り付けるキャップ本体の外端面にカーテン昇降用の操作コードを巻き付けるコード巻き付け部を設けたので、端部キャップに対する操作コードの接続が、コード巻き付け部に対して単に操作コードを巻き付けるだけの作業で行え、接続作業の簡略化によってカーテン製作の能率向上を図ることができる。
【００１７】
また、キャップ本体とコード巻き付け部が合成樹脂を用いて一体成形し、操作コードの巻き付け溝に巻き付けた操作コードを合成樹脂の弾性を利用して弾力的に挟むようにしたので、操作コードの巻き付け部分が離脱したり緩むようなことがなく、確実な接続状態が得られる。
【発明を実施するための最良の形態】
【００１８】
以下、この発明の実施の形態を添付図面に基づいて説明する。
【００１９】
図示のように、たくし上げ方式のカーテン１１は、建物側に固定するシェードレール１２に上端部を取り付けて、建物の壁における開口部分の室内側に吊り下げ状に配置され、このカーテン１１の裾には縫製した筒状部１３に長い棒状のウエイト１４が縫い込まれている。
【００２０】
図４のように、上記ウエイト１４は、亜鉛やステンレスのような金属材料を用い、断面が扁平な長円形でカーテン１１の幅に見合う長い棒状に形成され、その両端部に端部キャップ１５が取付けられている。
【００２１】
上記カーテン１１の一面側で両端部と途中の複数箇所には、このカーテン１１の引き上げと降ろしを行うための糸紐を用いた昇降コード１６が配置され、各昇降コード１６はカーテン１１に上下所定の間隔で取付けたリングカン２４に挿通され、その下端は接続したコードキャッチ２６でカーテン１１の下部に連結され、各昇降コード１６はシェードレール１２内で昇降機構により誘導されてこのレール１２の端部から係止機構を介して下向きに引き出され、各昇降コード１６の端部はイコライザー２７で束ねられ、イコライザー２７には操作コード２５の上端が接続されている。
【００２２】
上記操作コード２５を引き下げると、各昇降コード１６がカーテン１１を下端部から引き上げ、カーテン１１をジグザグ状に折畳みながら上昇させ、また、昇降コード１６の係止を解いて操作コード２５を上昇させるとカーテン１１は自重で下端部から降りていくことになる。
【００２３】
また、上記端部キャップ１５は、図３と図４のように、ウエイト１４の端部に被せて取り付けるキャップ本体１７の外端面に、このキャップ本体１７の外端面との間に形成した巻き付け溝１８に上記操作コード２５の端部を巻き付けるコード巻き付け部１９を設けて形成されている。
【００２４】
上記キャップ本体１７とコード巻き付け部１９は、合成樹脂を用いて一体成形され、前記キャップ本体１７は、断面長円形となるウエイト１４の端部に対して緊密に被せて取付ける筒状の周壁１７ａが上下方向に長い長円形となり、この周壁１７ａの一方の端部が開放し、他端が端壁１７ｂで閉鎖されたカバー状に形成されている。
【００２５】
上記コード巻き付け部１９は、キャップ本体１７の端壁１７ｂにおける中央部の外端面から外方に突出する短い巻き付け軸２０と、この巻き付け軸２０の端部から連なってキャップ本体１７の外端面と対面するよう設けた鍔部材２１とからなり、前記鍔部材２１が前記筒状の周壁１７ａと略同様の大きさと形状を有し、前記キャップ本体１７の外端面と鍔部材２１の対向面間で操作コード２５の巻き付け溝１８を形成している。
【００２６】
なお、操作コード２５の直径を１ｍｍ前後とした場合、上記キャップ本体１７の外端面と鍔部材２１の対向面間に形成された巻き付け溝１８は、例えば１ｍｍ程度の幅とし、この巻き付け溝１８に操作コード２５の端部を数回巻き付けると、キャップ本体１７と鍔部材２１で巻き付け部分を合成樹脂の弾性を利用して弾力的に挟み、操作コード２５の巻き付け部分が離脱したり緩むようなことがなく、単に操作コード２５の端部を数回巻き付けるという簡単な作業で、端部キャップ１５に対する操作コード２５の接続が行えるようになっている。
【００２７】
また、上記キャップ本体１７とコード巻き付け部１９に、巻き付け軸２０の軸心に沿って内外に貫通する操作コード２５の挿通孔２２を設け、前記キャップ本体１７の内部で端壁１７ｂの内面側に、キャップ本体１７内に挿入したウエイト１４の端部が当接することにより、挿通孔２２の内端側の位置に操作コード２５の端部に形成した結び目が収まる収納空間を確保する当り部２３を設けた構造とすることができる。
【００２８】
従って、上記端部キャップ１５と操作コード２５の接続は、巻き付け溝１８に操作コード２５の端部を数回巻き付ける方法と、従来のように、コード巻き付け部１９の外側から挿通孔２２に操作コード２５の端部を挿通し、キャップ本体１７の開放端側に引き出した操作コード２５の端部に結び目を作り、この後操作コード２５をキャップ本体１７内に引き戻すことにより、挿通孔２２に対して結び目が抜け止めとなり、この状態でキャップ本体１７をウエイト１４の端部に被せて接続する方法も採用することができることになる。
【００２９】
この発明のカーテン用ウエイトの端部キャップ１５は、上記のような構成であり、カーテン１１の製作時において、カーテン１１の下端部に配置せんとするウエイト１４の両端部に端部キャップ１５を取付け、操作コード２５の下端を、キャップ本体１７の外端面と鍔部材２１の対向面間に形成された巻き付け溝１８に数回巻き付けると、キャップ本体１７と鍔部材２１で操作コード２５の巻き付け部分が合成樹脂の弾性を利用して弾力的に挟まれ、巻き付け部分が離脱したり緩むようなことがなく、単に操作コード２５の端部を数回巻き付けるという簡単な作業で、端部キャップ１５に対する操作コード２５の接続を行うことができ、この状態で、カーテン１１の下端部に筒状部１３を縫製してその内部にウエイト１４を組み込むようにする。
【００３０】
このようにして製作されたカーテンは、その上端を建物側に固定するシェードレール１２に取り付けて、建物の壁における開口部分の室内側に吊り下げ状に配置し、シェードレール１２から引き出した昇降コード１６をカーテン１１に上下所定の間隔で取付けたリングカン２４に挿通し、その下端に接続したコードキャッチ２６でカーテン１１の下部に連結すると共に、各昇降コード１６はシェードレール１２内で昇降機構によって誘導し、このレール１２の一方端部又は両端部から係止機構を介して下向きに引き出し、各昇降コード１６の端部をイコライザー２７で束ね、このイコライザー２７に操作コード２５の上端を接続する。
【００３１】
この状態で、カーテン１１は、図１のように、上端部をシェードレール１２に吊り下げられてその下部が昇降コード１６で吊り下げ支持され、操作コード２５による上げ降ろしが可能なたくし上げカーテンとなる。
【図面の簡単な説明】
【００３２】
【図１】ウエイトを取付けたたくし上げカーテンの全体形状を示す正面図
【図２】ウエイトを取付けたたくし上げカーテンの全体形状を示す側面図
【図３】（ａ）はたくし上げカーテンのウエイトと操作コードの接続部分を拡大した要部切欠き正面図、（ｂ）は（ａ）の矢印ｂ−ｂに沿う縦断側面図
【図４】ウエイトと端部キャップの分解斜視図
【図５】従来のたくし上げカーテンにおけるウエイトと操作コードの接続部分を拡大した要部切欠き正面図
【符号の説明】
【００３３】
１１      カーテン
１２      シェードレール
１３      筒状部
１４      ウエイト
１５      端部キャップ
１６      昇降コード
１７      キャップ本体
１８      巻き付け溝
１９      操作コードの巻き付け部
２０      巻き付け軸
２１      鍔部材
２２      コード挿通孔
２３      当り部
２４      リングカン
２５      操作コード
２６      コードキャッチ
２７      イコライザー
【図１】
0004776353.tif 000002
【図２】
0004776353.tif 000003
【図３】
0004776353.tif 000004
【図４】
0004776353.tif 000005
【図５】
0004776353.tif 000006